(57)【要約】【課題】画像形成部に、表面効果を実現するための条件の少なくとも一部が備わっていない場合であっても、表面効果を実現し、且つ、印刷を継続させる。【解決手段】第１取得部５９は、印刷データを取得する。第２取得部６２は、画像形成部から、装置情報を取得する。出力制御部５８は、印刷データに含まれる印刷方法情報が第１印刷方法を示し、且つ、装置情報が第１記録媒体を示す媒体種および透明トナーを示す特色トナー情報の少なくとも一方を含まない場合に、装置情報に含まれる媒体種によって示される第１記録媒体または第２記録媒体、および装置情報に含まれる特色トナー情報によって示される透明トナーまたは白色トナーを用いて、印刷方法情報および光沢制御版データに応じた表面効果を実現するように、画像形成部を制御する。【選択図】図８
2016057816.tif 000002
【特許請求の範囲】
【請求項１】
不透明な第１記録媒体に有色トナーによる有色画像および透明トナーによる透明画像を形成することで表面効果を実現する第１印刷方法を示す印刷方法情報と、前記有色画像を形成するための有色版データと、表面効果を与える領域および表面効果の種類を規定した光沢制御版データと、を含む印刷データを取得する第１取得部と、
画像形成部から、前記画像形成部に搭載されている前記第１記録媒体または透明な第２記録媒体を示す媒体種と、前記画像形成部に搭載されている前記透明トナーまたは白色トナーを示す特色トナー情報と、を含む装置情報を取得する第２取得部と、
前記印刷データに含まれる前記印刷方法情報が前記第１印刷方法を示し、且つ、前記装置情報が前記第１記録媒体を示す前記媒体種および前記透明トナーを示す前記特色トナー情報の少なくとも一方を含まない場合に、前記装置情報に含まれる前記媒体種によって示される前記第１記録媒体または前記第２記録媒体、および前記装置情報に含まれる前記特色トナー情報によって示される前記透明トナーまたは前記白色トナーを用いて、前記印刷方法情報および前記光沢制御版データに応じた表面効果を実現するように、前記画像形成部を制御する出力制御部と、
を備えた画像処理装置。
【請求項２】
前記出力制御部は、
前記印刷データに含まれる前記印刷方法情報が前記第１印刷方法を示し、且つ、前記装置情報が前記第２記録媒体を示す前記媒体種および前記白色トナーを示す前記特色トナー情報を含む場合に、前記第２記録媒体および前記白色トナーを用いて、前記印刷方法情報および前記光沢制御版データに応じた表面効果を実現するように、前記画像形成部を制御する、
請求項１に記載の画像処理装置。
【請求項３】
前記印刷方法情報と、前記装置情報と、前記画像形成部の制御条件と、を対応づけた制御情報を予め記憶した記憶部と、
前記制御情報における、取得した前記印刷データに含まれる前記印刷方法情報と、取得した前記装置情報と、に対応する前記制御条件を判定する判定部と、
を更に備え、
前記制御条件は、前記有色版データおよび前記光沢制御版データに施す画像処理と、記録媒体の印刷対象面と、を少なくとも定めた情報であり、
前記出力制御部は、
前記有色版データに対して、判定された前記制御条件に定められた画像処理を行うことによって有色データを生成する第１生成部と、
判定された前記制御条件に定められた画像処理を行うことによって、前記特色トナーを記録媒体に付与するための特色データを生成する第２生成部と、
判定された前記制御条件に定められた前記印刷対象面と、前記制御情報における、判定された前記制御条件に対応する前記装置情報に含まれる前記媒体種と、を含む設定情報を生成する第３生成部と、
前記有色データと、前記特色データと、前記設定情報と、を含む出力データを、前記画像形成部へ出力する出力部と、
を有する、請求項１または請求項２に記載の画像処理装置。
【請求項４】
前記判定部は、前記印刷データに含まれる前記印刷方法情報が前記第１印刷方法を示し、且つ、取得した前記装置情報が前記第２記録媒体を示す前記媒体種および前記白色トナーを示す前記特色トナー情報を含む場合に、前記制御条件として第１制御条件を判定し、
前記第１生成部は、
前記第１制御条件と判定された場合に、前記有色版データを構成する画素の内、前記光沢制御版データを構成する対応する画素位置の画素の濃度値が閾値以上である画素を記録媒体の表面用の第１有色版データとして生成すると共に、該濃度値が該閾値未満である画素を記録媒体の裏面用の第２有色版データとして生成し、前記第１有色版データを鏡像反転した第３有色版データと前記第２有色版データとを含む、前記有色データを生成し、
前記第２生成部は、
前記第１制御条件と判定された場合に、前記光沢制御版データを破棄し、前記白色トナーによる白色層を記録媒体の表面に形成するための白色データを前記特色データとして生成し、
前記第３生成部は、
前記第１制御条件と判定された場合に、記録媒体の両面を示す前記印刷対象面と、前記第２記録媒体を示す前記媒体種と、を含む前記設定情報を生成する、
請求項３に記載の画像処理装置。
【請求項５】
前記印刷方法情報は、前記第１印刷方法、または前記白色トナーによる白色画像上に前記有色画像および前記第２記録媒体をこの順に積層する第２印刷方法を示し、
前記判定部は、前記印刷データに含まれる前記印刷方法情報が、前記第２印刷方法を示し、且つ、取得した前記装置情報が前記透明トナーを示す前記特色トナー情報および前記第１記録媒体を示す前記媒体種を含む場合に、前記制御条件として第３制御条件を判定し、
前記第１生成部は、
前記第３制御条件と判定された場合に、前記有色版データを前記有色データとして生成し、
前記第２生成部は、
前記第３制御条件と判定された場合に、各画素位置のトナーの総付着量が予め定めた第２閾値となるように、前記有色版データによって特定される各画素の濃度値に応じて、各画素の濃度値を定めた前記特色データを生成し、
前記第３生成部は、
記録媒体の片面を示す前記印刷対象面と、前記第１記録媒体を示す前記媒体種と、を含む前記設定情報を生成する、
請求項３または請求項４に記載の画像処理装置。
【請求項６】
前記印刷方法情報は、前記第１印刷方法、前記第２印刷方法、または前記白色トナーによる白色画像上に前記第２記録媒体および前記有色画像をこの順に積層する第３印刷方法を示し、
前記判定部は、前記印刷データに含まれる前記印刷方法情報が前記第３印刷方法を示し、且つ、取得した前記装置情報が前記透明トナーを示す前記特色トナー情報および前記第１記録媒体を示す前記媒体種を含む場合に、前記制御条件として第４制御条件を判定し、
前記第１生成部は、
前記第４制御条件と判定された場合に、前記有色版データを前記有色データとして生成し、
前記第２生成部は、
前記第４制御条件と判定された場合に、予め定めた網点パターンを示す前記特色データを生成し、
前記第３生成部は、
記録媒体の片面を示す前記印刷対象面と、前記第１記録媒体を示す前記媒体種と、を含む前記設定情報を生成する、
請求項３〜請求項５の何れか１項に記載の画像処理装置。
【請求項７】
不透明な第１記録媒体に有色トナーによる有色画像および透明トナーによる透明画像を形成することで表面効果を実現する第１印刷方法を示す印刷方法情報と、前記有色画像を形成するための有色版データと、表面効果を与える領域および表面効果の種類を規定した光沢制御版データと、を含む印刷データを取得するステップと、
画像形成部から、前記画像形成部に搭載されている前記第１記録媒体または透明な第２記録媒体を示す媒体種と、前記画像形成部に搭載されている前記透明トナーまたは白色トナーを示す特色トナー情報と、を含む装置情報を取得するステップと、
前記印刷データに含まれる前記印刷方法情報が前記第１印刷方法を示し、且つ、前記装置情報が前記第１記録媒体を示す前記媒体種および前記透明トナーを示す前記特色トナー情報の少なくとも一方を含まない場合に、前記装置情報に含まれる前記媒体種によって示される前記第１記録媒体または前記第２記録媒体、および前記装置情報に含まれる前記特色トナー情報によって示される前記透明トナーまたは前記白色トナーを用いて、前記印刷方法情報および前記光沢制御版データに応じた表面効果を実現するように、前記画像形成部を制御するステップと、
を含む画像処理方法。
【請求項８】
画像形成部と、
不透明な第１記録媒体に有色トナーによる有色画像および透明トナーによる透明画像を形成することで表面効果を実現する第１印刷方法を示す印刷方法情報と、前記有色画像を形成するための有色版データと、表面効果を与える領域および表面効果の種類を規定した光沢制御版データと、を含む印刷データを取得する第１取得部と、
前記画像形成部から、前記画像形成部に搭載されている前記第１記録媒体または透明な第２記録媒体を示す媒体種と、前記画像形成部に搭載されている前記透明トナーまたは白色トナーを示す特色トナー情報と、を含む装置情報を取得する第２取得部と、
前記印刷データに含まれる前記印刷方法情報が前記第１印刷方法を示し、且つ、前記装置情報が前記第１記録媒体を示す前記媒体種および前記透明トナーを示す前記特色トナー情報の少なくとも一方を含まない場合に、前記装置情報に含まれる前記媒体種によって示される前記第１記録媒体または前記第２記録媒体、および前記装置情報に含まれる前記特色トナー情報によって示される前記透明トナーまたは前記白色トナーを用いて、前記印刷方法情報および前記光沢制御版データに応じた表面効果を実現するように、前記画像形成部を制御する出力制御部と、
を備えた画像処理システム。
【発明の詳細な説明】
【技術分野】
【０００１】
本発明は、画像処理装置、画像処理方法、および画像処理システムに関する。
【背景技術】
【０００２】
有色画像を形成するための有色画像データを含む印刷データを画像形成装置に送信し、画像形成装置に有色画像を形成させる技術が知られている。また、画像形成装置にＣＭＹの有色トナーが搭載されていない場合や、有色トナーの残量が不足した場合に、画像形成を中断することなく、黒色トナーを用いて画像形成を継続させる技術が開示されている（例えば、特許文献１）。
【０００３】
特許文献１には、画像形成装置で有色画像を形成することが困難である場合に、有色画像データを、黒色画像を形成するための画像データに変換して白黒画像の形成を行うことで、画像形成を継続する技術が開示されている。一方、記録媒体や記録媒体上に形成された有色画像に、光沢などの表面効果を与える技術も開示されている。例えば、印刷データに表面効果を指定することで、透明トナーなどの特色トナーを用いた表面効果の付与が行われている。
【発明の概要】
【発明が解決しようとする課題】
【０００４】
しかし、従来では、表面効果の実現に用いるトナーや記録媒体などの条件が、画像形成部側に揃っていない場合、表面効果を実現しつつ、且つ画像形成を継続することが出来なかった。
【課題を解決するための手段】
【０００５】
上述した課題を解決し、目的を達成するために、本発明にかかる画像処理装置は、不透明な第１記録媒体に有色トナーによる有色画像および透明トナーによる透明画像を形成することで表面効果を実現する第１印刷方法を示す印刷方法情報と、前記有色画像を形成するための有色版データと、表面効果を与える領域および表面効果の種類を規定した光沢制御版データと、を含む印刷データを取得する第１取得部と、画像形成部から、前記画像形成部に搭載されている前記第１記録媒体または透明な第２記録媒体を示す媒体種と、前記画像形成部に搭載されている前記透明トナーまたは白色トナーを示す特色トナー情報と、を含む装置情報を取得する第２取得部と、前記印刷データに含まれる前記印刷方法情報が前記第１印刷方法を示し、且つ、前記装置情報が前記第１記録媒体を示す前記媒体種および前記透明トナーを示す前記特色トナー情報の少なくとも一方を含まない場合に、前記装置情報に含まれる前記媒体種によって示される前記第１記録媒体または前記第２記録媒体、および前記装置情報に含まれる前記特色トナー情報によって示される前記透明トナーまたは前記白色トナーを用いて、前記印刷方法情報および前記光沢制御版データに応じた表面効果を実現するように、前記画像形成部を制御する出力制御部と、を備える。
【発明の効果】
【０００６】
本発明によれば、画像形成部に、表面効果を実現するための条件の少なくとも一部が備わっていない場合であっても、表面効果を実現し、且つ、印刷を継続させることができる、という効果を奏する。
【図面の簡単な説明】
【０００７】
【図１】図１は、本実施の形態の画像処理システムの構成の一例を示す図である。
【図２】図２は、プリンタ機を示す模式図である。
【図３】図３は、表面効果の実現方法の説明図である。
【図４】図４は、有色版データの一例を示す説明図である。
【図５】図５は、光沢制御版データによって示される、表面効果の種類の一例を示す図である。
【図６】図６は、光沢制御版データの一例を示す説明図である。
【図７】図７は、印刷データの構成例を概念的に示す模式図である。
【図８】図８は、ＤＦＥの機能構成図である。
【図９】図９は、表面効果選択テーブルの一例を示す図である。
【図１０】図１０は、制御情報のデータ形式の一例を示す図である。
【図１１】図１１は、出力制御部の機能ブロック図である。
【図１２】図１２は、画像処理の手順の一例を示すフローチャートである。
【図１３】図１３は、光沢制御版データの生成処理を説明するフローチャートである。
【図１４】図１４は、出力制御の手順を示すフローチャートである。
【図１５】図１５は、画像処理システムの一例を示す模式図である。
【図１６】図１６は、画像処理システムの構成を例示する図である。
【図１７】図１７は、サーバ装置の機能的構成を示すブロック図である。
【図１８】図１８は、画像処理の全体の流れを示すシーケンス図である。
【図１９】図１９は、クラウド上に２つのサーバを設けたネットワーク構成図である。
【図２０】図２０は、ハードウェア構成図である。
【発明を実施するための形態】
【０００８】
以下に添付図面を参照して、画像処理装置、画像処理方法、および画像処理システムの実施の形態を詳細に説明する。
【０００９】
（実施の形態１）
まず、実施の形態１に係る画像処理システムの構成を説明する。図１は、本実施の形態の画像処理システムの構成の一例を示す図である。
【００１０】
本実施の形態では、画像処理システムは、画像処理装置（ＤＦＥ：Ｄｉｇｉｔａｌ  Ｆｒｏｎｔ  Ｅｎｄ）５０（以下、「ＤＦＥ５０」という。）と、インタフェースコントローラ（ＭＩＣ：Ｍｅｃｈａｎｉｓｍ  Ｉ／Ｆ  Ｃｏｎｔｏｒｏｌｌｅｒ）６０（以下、「ＭＩＣ６０」という。）と、プリンタ機７０と、が接続されて構成される。ＤＦＥ５０は、ＭＩＣ６０を介してプリンタ機７０と通信を行い、プリンタ機７０での画像の形成を制御する。また、ＤＦＥ５０には、ＰＣ（Ｐｅｒｓｏｎａｌ  Ｃｏｍｐｕｔｅｒ）等のホスト装置１０が接続されている。ＤＦＥ５０は、ホスト装置１０から印刷データを受信する。ＤＦＥ５０は、印刷データから出力データを生成し、ＭＩＣ６０を介してプリンタ機７０に送信する。プリンタ機７０は、出力データに応じて画像形成を実行する。
【００１１】
図２は、プリンタ機７０を示す模式図である。
【００１２】
プリンタ機７０は、画像形成部７９と、プリンタ制御部７１と、通信部７３と、を備える。
【００１３】
画像形成部７９は、画像形成を実行する。画像形成部７９は、電子写真方式を用いた公知の構成を備える。例えば、画像形成部７９は、例えば、画像形成ユニット７２と、搬送ベルト７４と、定着部７６と、給紙トレイ７８と、を含む。
【００１４】
画像形成ユニット７２は、ＣＭＹＫの有色トナーの各々を用いて有色画像を形成するための有色形成ユニット７２Ａと、特色トナーを記録媒体２０に付与するための特色形成ユニット７２Ｂと、を備える。これらの画像形成ユニット７２は、各々、感光体、帯電器、現像器、などを含む電子写真方式を用いた公知の構成であり、搭載されているトナーの種類が異なる。
【００１５】
特色トナーは、本実施の形態では、例えば、白色トナー、または、透明トナーを示す。透明トナーは、色材を含まない透明なトナーである。なお、透明とは、例えば、透過率が７０％以上であることを示す。白色トナーは、白色の色材を含む白色のトナーである。なお、特色トナーは、ＣＭＹＫの有色トナー以外のトナーでればよく、透明トナーまたは白色トナーに限定されない。
【００１６】
本実施の形態では、プリンタ機７０は、特色トナーとして、白色トナー、及び、透明トナーの、何れか一方を搭載している。
【００１７】
本実施の形態では、記録媒体を搬送する搬送ベルト７４の搬送方向は、有色形成ユニット７２Ａ側から特色形成ユニット７２Ｂに向かう方向である場合を説明するが、搬送方向はこの方向に限定されない。また、画像形成部７９は、記録媒体２０の表裏を反転させる公知の反転機構（図示省略）を含み、記録媒体２０の片面、または両面に画像形成可能な構成となっている。定着部７６は、記録媒体２０に画像を定着させる公知の定着器である。
【００１８】
通信部７３は、ＭＩＣ６０を介してＤＦＥ５０と通信する通信部である。プリンタ制御部７１は、画像形成部７９全体を制御する。
【００１９】
給紙トレイ７８は、記録媒体２０を搭載するトレイである。なお、プリンタ機７０には、複数の給紙トレイ７８が搭載されていてもよい。
【００２０】
記録媒体は、画像形成対象の部材である。本実施の形態では、記録媒体として、不透明な第１記録媒体、および、透明な第２記録媒体を用いる場合を説明する。透明の定義は、上述と同じである。不透明とは、例えば、光の透過率が７０％未満であることを示す。
【００２１】
第１記録媒体は、不透明な記録媒体であればよい。本実施の形態では、一例として、第１記録媒体は、白色の記録媒体である場合を説明する。以下、説明を解り易くするために、第１記録媒体を、白色媒体と称して説明する。なお、第１記録媒体は、不透明であればよく、白色に限定されない。
【００２２】
第２記録媒体は、透明な記録媒体であればよい。第２記録媒体は、例えば、透明な材料をシート状に形成したものである。以下、説明を解り易くするために、第２記録媒体を、透明媒体と称して説明する。
【００２３】
本実施の形態では、プリンタ機７０は、記録媒体として、白色媒体および透明媒体の少なくとも一方を搭載する。
【００２４】
各給紙トレイ７８には、搭載されている記録媒体２０の種類を示す媒体種（本実施の形態では、白色媒体、または、透明媒体）を検知するためのセンサ（図示省略）が搭載されている。センサは、記録媒体２０の媒体種と、該媒体種によって示される種類の記録媒体２０（以下、単に、媒体種の記録媒体２０と称する場合がある）が搭載されている給紙トレイ７８の識別情報と、記録媒体２０のサイズと、を示す検知信号を、プリンタ制御部７１へ出力する。このため、プリンタ制御部７１は、各給紙トレイ７８の各々に搭載されている記録媒体２０の媒体種と、サイズと、給紙トレイ７８の識別情報と、を含む検知信号を、各給紙トレイ７８に搭載されたセンサから受け付ける。なお、給紙トレイ７８に搭載されている記録媒体２０の媒体種は、ユーザによる操作部（図示省略）の操作指示によって入力され、プリンタ制御部７１へ送信されてもよい。
【００２５】
プリンタ制御部７１は、各給紙トレイ７８に搭載されたセンサから受け付けた、検知信号（記録媒体２０の媒体種、給紙トレイ７８の識別情報、記録媒体２０のサイズ）と、特色形成ユニット７２Ｂに搭載されている特色トナーの特色トナー情報（白色トナー、または透明トナー）と、を含む装置情報を、通信部７３及びＭＩＣ６０を介して、ＤＦＥ５０へ出力する。
【００２６】
また、プリンタ機７０のプリンタ制御部７１は、ＤＦＥ５０から、ＭＩＣ６０及び通信部７３を介して、出力データを受け付ける。プリンタ機７０のプリンタ制御部７１は、受け付けた出力データに含まれる画像データに応じた画像を、該出力データに含まれる設定情報（詳細後述）で指定された種類の記録媒体の、該設定情報で指定された印刷対象面に、有色トナーや該設定情報で指定された特色トナーを用いて画像形成するように、画像形成部７９を制御する。
【００２７】
図１に戻り、次に、ホスト装置１０からＤＦＥ５０に出力される印刷データについて説明する。
【００２８】
ホスト装置１０では、予めインストールされた画像処理アプリケーションにより印刷データを生成し、ＤＦＥ５０に送信する。画像処理アプリケーションでは、ＲＧＢ版やＣＭＹＫ版などの各有色版における各色の濃度値（濃度の値ともいう）を画素毎に規定した画像データに対して、特色版の画像データを取り扱うことが可能である。特色版とは、ＣＭＹＫやＲＧＢなどの基本的なカラーの他に、白、金、銀、といった特色トナーやインクを付着させるための画像データであり、このような特色トナーやインクを搭載したプリンタ向けのデータである。特色版は色再現性を向上させるためにＣＭＹＫの基本カラーにＲを追加することや、ＲＧＢの基本カラーにＹを追加することもある。
【００２９】
本実施の形態では、上述したように、特色トナーとして、透明トナーまたは白色トナーを用いる。本実施の形態では、これらの特色トナーを、記録媒体に付与する視覚的または触覚的な効果である表面効果を形成するために用いる。
【００３０】
また、本実施の形態では、特色トナーを用いた表面効果を実現する印刷方法として、３種類の印刷方法を用いる。具体的には、本実施の形態では、第１印刷方法、第２印刷方法、第３印刷方法、の３種類の印刷方法を用いて、表面効果を実現する。
【００３１】
図３は、本実施の形態における、表面効果を実現する印刷方法の説明図である。
【００３２】
図３（Ａ）は、第１印刷方法の説明図である。図３（Ａ）に示すように、第１印刷方法は、白色媒体２０Ｗ上に、有色トナーによる有色画像２４および透明トナーによる透明画像２６を形成することで、表面効果を実現する印刷方法である。なお、第１印刷方法では、白色媒体２０Ｗの片面（一方の面）に、有色画像２４と透明画像２６を形成すればよく、有色画像２４上に透明画像２６を積層した構成に限定されない。例えば、第１印刷方法では、白色媒体２０Ｗの片面に、有色画像２４のみを形成した領域があってもよいし、透明画像２６のみを形成した領域があってもよい。また、第１印刷方法では、同一層内に、有色画像２４と透明画像２６の混在領域があってもよい。また、第１印刷方法では、有色画像２４上に透明画像２６を積層した形態であってもよい。
【００３３】
図３（Ｂ）は、第２印刷方法の説明図である。図３（Ｂ）に示すように、白色トナーによる白色画像２２上に、有色トナーによる有色画像２４および透明媒体２０Ｔを、この順に積層することで、表面効果を実現する印刷方法である。すなわち、第２印刷方法は、ユーザに、透明媒体２０Ｔ側から有色画像２４を視認させることで、透明媒体２０Ｔによって有色画像２４に光沢などの表面効果を付与する印刷方法である。このため、第２印刷方法は、透明媒体２０Ｔの片面に、有色画像２４と白色画像２２をこの順に形成する。また、第２印刷方法では、有色画像２４は、有色画像２４は透明媒体２０Ｔを介して視認される。このため、第２印刷方法では、印刷データに含まれる有色版データ（詳細後述）によって示される画像を鏡像反転した有色画像を、透明媒体２０Ｔ上に形成する必要がある。
【００３４】
図３（Ｃ）は、第３印刷方法の説明図である。図３（Ｃ）に示すように、白色トナーによる白色画像２２上に透明媒体２０Ｔおよび有色画像２４を、この順に積層することで表面効果を実現する印刷方法である。すなわち、第３印刷方法は、有色画像２４上に透明媒体２０Ｔ及び白色画像２２をこの順に設けることで、表面効果を付与する印刷方法である。このため、第３印刷方法は、透明媒体２０Ｔの両面に画像を形成する。言い換えると、第３印刷方法では、透明媒体２０Ｔの一方の面に有色画像２４を形成し、他方の面に白色画像２２を形成する。なお、第３印刷方法では、ユーザは、有色画像２４側から透明媒体２０Ｔを介して白色画像２２に向かう方向に、有色画像２４を視認する。
【００３５】
図１に戻り、ホスト装置１０がＤＦＥ５０へ送信する印刷データは、印刷方法情報と、有色版データと、を含む。また、印刷データは、更に、光沢制御版データを含む場合がある。
【００３６】
印刷方法情報は、印刷方法を示す情報であり、上述した、第１印刷方法、第２印刷方法、および、第３印刷方法の何れかを示す。
【００３７】
ホスト装置１０の画像処理アプリケーションは、有色画像を形成するための有色版データと、ユーザによって指定された印刷方法情報と、ユーザによって指定された光沢制御版データと、を含む印刷データを生成する。なお、光沢制御版データは、印刷データに含まれる印刷方法情報が、第１印刷方法を示す場合に、該印刷データに含まれる。
【００３８】
ホスト装置１０は、画像処理アプリケーションを用いて、印刷方法情報の指定をユーザから受け付ける。ユーザは、公知の操作部（例えば、キーボード）等を操作することで、所望の表現効果の実現方法を示す印刷方法情報を入力する。ホスト装置１０は、入力された印刷方法情報を受け付けることで、印刷データに含ませる対象の印刷方法情報を取得する。
【００３９】
有色版データとは、有色画像を形成するための画像データであり、画素毎にＲＧＢやＣＭＹＫ等の有色画像の濃度値を規定した画像データである。例えば、ホスト装置１０は、ユーザによって指定された描画オブジェクトごとに、ユーザによって指定された色の各々に対応する濃度値を規定することで、有色版データを生成する。有色版データは、例えば、各画素を８ｂｉｔで表現する。
【００４０】
図４は、有色版データの一例を示す説明図である。例えば、ホスト装置１０は、画像処理アプリケーションを用いて、図４中、「Ａ」、「Ｂ」、「Ｃ」等の描画オブジェクトごとに、ユーザによって指定された色に対応する濃度値を付与する。
【００４１】
光沢制御版データは、表面効果を与える領域および表面効果の種類を規定した画像データである。光沢制御版データは、表面効果に応じた透明トナーを付着させる制御を行うために用いられる。
【００４２】
このため、光沢制御版データは、印刷データに含まれる印刷方法情報が第１印刷方法である場合に、該印刷データに含まれる。画像処理アプリケーションは、印刷方法情報として第１印刷方法が選択された場合に、光沢制御版データの生成に用いる、表面効果の種類及び表面効果を与える領域を指定するための入力画面を表示し、ユーザからの操作を受け付け可能とすればよい。
【００４３】
光沢制御版データは、ＲＧＢやＣＭＹＫ等の有色版データと同様に画素毎に８ビットで「０」〜「２５５」の範囲の濃度値で表される。そして、光沢制御版データでは、この濃度値に、表面効果の種類が対応付けられる（濃度値は１６ビットや３２ビット、または０〜１００％で表してもよい）。また、同一の表面効果を与えたい範囲には実際に付着する透明トナーの濃度と関係なく同一の値が設定される。このため、光沢制御版データでは、領域を示すデータがなくとも濃度値から容易に領域を特定できる。即ち、光沢制御版データによって、表面効果の種類と、表面効果を与える領域とが表される。なお、光沢制御版データに、表面効果を与える領域を表すデータを別途付与しても良い。
【００４４】
ホスト装置１０は、ユーザが画像処理アプリケーションにより指定した描画オブジェクトに対する表面効果の種類を、描画オブジェクトごとに光沢制御値としての濃度値として設定してベクター形式の光沢制御版データを生成する。
【００４５】
この光沢制御版データを構成する各画素は、有色版データの画素に対応する。なお、各画像データにおいては各画素の表す濃度値が画素値となる。また、有色版データ及び光沢制御版データは共にページ単位で構成される。
【００４６】
表面効果の種類としては、大別して、光沢の有無に関するものや、表面保護や、情報を埋め込んだ透かしや、テクスチャなどがある。図５は、光沢制御版データによって示される、表面効果の種類の一例を示す図である。
【００４７】
図５に例示するように、光沢制御版データによって示される表面効果の種類には、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００４８】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。
【００４９】
このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンを透明トナーによって実現することができる。表面保護は、鏡面光沢やベタ光沢で代用される。
【００５０】
なお、処理対象の画像データによって表される画像のどの領域に表面効果を与えるのかや、その領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザの指定した表面効果に対応する濃度値をセットすることにより、光沢制御版データを生成する。濃度値と表面効果の種類との対応関係については後述する。
【００５１】
図６は、光沢制御版データの一例を示す説明図である。図６には、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示した。なお、各表面効果に設定された濃度値は、後述の濃度値選択テーブルで、表面効果の種類に対応して定められた濃度値である。
【００５２】
ホスト装置１０の画像処理アプリケーションは、ユーザが指定した表面効果の種類を、濃度値に変換して、光沢制御版データを生成する。かかる変換は、ホスト装置１０の記憶部に予め記憶された濃度値選択テーブルを参照して行われる。濃度値選択テーブルは、表面効果の種類と、当該表面効果の種類に対応する光沢制御版の濃度値とを対応付けたテーブルデータである。
【００５３】
この濃度値選択テーブルは、ＤＦＥ５０で記憶している表面効果選択テーブル（後述）と同一のデータであり、ホスト装置１０の制御部が所定のタイミングで表面効果選択テーブルを取得して、取得した表面効果選択テーブルから生成して（コピーして）記憶部に保存する。なお、インターネット等のネットワーク上のストレージサーバ（クラウド）に表面効果選択テーブルを保存しておき、制御部が当該サーバから表面効果選択テーブルを取得して、取得した表面効果選択テーブルから生成（コピー）するように構成してもよい。ただし、ＤＦＥ５０で記憶している表面効果選択テーブルとホスト装置の記憶部に保存されている表面効果選択テーブルとは同じデータである必要がある。
【００５４】
具体的には、ホスト装置１０の画像処理アプリケーションは、濃度値選択テーブルを参照しながら、ユーザにより所定の表面効果が指定された描画オブジェクトの濃度値（光沢制御値）を、当該表面効果の種類に応じた値に設定することで、光沢制御版データを生成する。例えばユーザにより、図４に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、濃度値選択テーブルを参照して、ユーザにより「ＰＧ」が指定された描画オブジェクト（「ＡＢＣ」）の濃度値を「９８％」に相当する画素値に設定し、「Ｇ」が指定された描画オブジェクト（「長方形」）の濃度値を「９０％」に相当する画素値に設定し、「Ｍ」が指定された描画オブジェクト（「円形」）の濃度値を「１６％」に相当する画素値に設定することで、光沢制御版データを生成する。ホスト装置１０で生成された光沢制御版データは、点の座標と、それを結ぶ線や面の方程式のパラメータ、および、塗り潰しや特殊効果などを示す描画オブジェクトの集合として表現されるベクター形式のデータである。
【００５５】
上述のようにして、ホスト装置１０は、有色画像を形成するための有色版データと、ユーザによって指定された印刷方法情報と、ユーザによって指定された光沢制御版データと、ジョブコマンドと、を含む印刷データを生成する。
【００５６】
なお、上述したように、光沢制御版データは、印刷データに含まれる印刷方法情報が、第１印刷方法を示す場合に、該印刷データに含まれる。
【００５７】
ジョブコマンドは、印刷属性情報である。ジョブコマンドは、例えば、形成対象の記録媒体の種類を示す媒体種、プリンタの設定、集約の設定などをプリンタ機７０に対して指定するコマンドである。なお、印刷方法情報を、ジョブコマンドに含ませてもよい。
【００５８】
なお、以下では、印刷データは、一例として、印刷属性情報と、有色版データと、光沢制御版データ（第１印刷方法である場合のみ）と、を含むものとして説明する。そして、印刷属性情報は、一例として、印刷方法情報（第１印刷方法、第２印刷方法、または第３印刷方法）と、画像形成対象の記録媒体のサイズと、を含むものとして説明する。
【００５９】
図７は、印刷データの構成例を概念的に示す模式図である。図７の例では、ジョブコマンドとして、ＪＤＦ（Ｊｏｂ  Ｄｅｆｉｎｉｔｉｏｎ  Ｆｏｒｍａｔ）が用いられているが、これに限定されない。ジョブコマンドには、上述したように、例えば、印刷方法情報（第１印刷方法、第２印刷方法、第３印刷方法の何れかを示す）、及び、画像形成対象の記録媒体のサイズなどの印刷属性情報を含む。また、印刷データは、ＰｏｓｔＳｃｒｉｐｔ（登録商標）のようなページ記述言語（ＰＤＬ）に変換されてもよいし、ＤＦＥ５０が対応していれば、ＰＤＦ形式のままでもよい。
【００６０】
次に、ＤＦＥ５０の機能的構成について説明する。図８は、ＤＦＥ５０の機能構成図である。
【００６１】
ＤＦＥ５０は、ホスト装置１０から印刷データを受信する。そして、ＤＦＥ５０は、印刷データから出力データを生成し、ＭＩＣ６０を介してプリンタ機７０へ送信する。これにより、ＤＦＥ５０は、印刷データに応じた画像を形成するように、プリンタ機７０を制御する。また、これにより、ＤＦＥ５０は、印刷方法情報および光沢制御版データに応じた表面効果を実現するように、プリンタ機７０（画像形成部７９）を制御する。
【００６２】
ＤＦＥ５０は、レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７と、出力制御部５８と、第１取得部５９と、第２取得部６２と、判定部６３と、を有する。ＤＦＥ５０には、記憶部３０が接続されている。なお、ＤＦＥ５０内に、記憶部３０を設けた構成であってもよい。
【００６３】
レンダリングエンジン５１、ｓｉ１部５２、ＴＲＣ５３、ｓｉ２部５４、ハーフトーンエンジン５５、クリアプロセッシング５６、ｓｉ３部５７、出力制御部５８、第１取得部５９、第２取得部６２、および判定部６３の一部またはすべては、例えば、ＣＰＵ（Ｃｅｎｔｒａｌ  Ｐｒｏｃｅｓｓｉｎｇ  Ｕｎｉｔ）などの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００６４】
ｓｉ１部５２、ｓｉ２部５４及びｓｉ３部５７はいずれも、画像データを分離する（ｓｅｐａｒａｔｅ）機能と、画像データを統合する（ｉｎｔｅｇｒａｔｅ）機能とを有するものである。
【００６５】
レンダリングエンジン５１は、ホスト装置１０から送信された印刷データ受付し、当該印刷データをレンダリングする。
【００６６】
レンダリングエンジン５１は、入力された印刷データに含まれる有色版データについて、ＲＧＢ形式等で表現された色空間をＣＭＹＫ形式の色空間に変換し、さらに、例えばベクター形式で示される有色版データをラスタ形式に変換する。これにより、レンダリングエンジン５１は、ＣＭＹＫの各々の８ビットの有色版データを生成する。
【００６７】
また、レンダリングエンジン５１は、入力された印刷データに含まれる光沢制御版データについて、ベクター形式をラスタ形式に変換することで、８ビットの光沢制御版データを生成する。なお、印刷データに光沢制御版データが含まれない場合には、レンダリングエンジン５１は、８ビットの光沢制御版データの生成を行わない。
【００６８】
そして、レンダリングエンジン５１は、生成した、８ビットの有色版データと、８ビットの光沢制御版データと、ホスト装置１０から受け付けた印刷データに含まれる印刷属性情報（印刷方法情報、および形成対象の記録媒体のサイズを含む）と、を対応づけて、印刷データとして記憶部３０に記憶する。
【００６９】
また、レンダリングエンジン５１は、生成した、８ビットの有色版データと、８ビットの光沢制御版データと、を、ｓｉ１部５２へ出力する。
【００７０】
ｓｉ１部５２は、受け付けたＣＭＹＫの各８ビットの有色版データをＴＲＣ５３に出力し、８ビットの光沢制御版データをクリアプロセッシング５６に出力する。
【００７１】
ＴＲＣ５３は、ｓｉ１部５２からＣＭＹＫの各８ビットの有色版データを受け付ける。ＴＲＣ５３は、受け付けた有色版データに対して、キャリブレーションにより生成された１Ｄ＿ＬＵＴのガンマカーブを用いて、ガンマ補正などの画像処理を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【００７２】
ＴＲＣ５３は、ガンマ補正したＣＭＹＫの各８ビットの有色版データを、ｓｉ２部５４へ出力する。ｓｉ２部５４は、ガンマ補正されたＣＭＹＫの各８ビットの有色版データを受け付け、インバースマスク（詳細後述）を生成するためのデータとしてクリアプロセッシング５６へ出力する。また、ｓｉ２部５４は、ガンマ補正されたＣＭＹＫの各８ビットの有色版データを、ハーフトーンエンジン５５へ出力する。
【００７３】
ハーフトーンエンジン５５には、ｓｉ２部５４からガンマ補正後のＣＭＹＫの各８ビットの有色版データを受け付ける。ハーフトーンエンジン５５は、例えば、受け付けた該ＣＭＹＫの各８ビットの有色版データを、各２ビット等のデータ形式に変換するハーフトーン処理を行い、ハーフトーン処理後のＣＭＹＫ各２ビット等の有色版データを出力制御部５８へ出力する。なお、２ビットは一例であり、これに限定されるものではない。
【００７４】
クリアプロセッシング５６は、ｓｉ１部５２から、８ビットの光沢制御版データを受け付ける。また、クリアプロセッシング５６は、ｓｉ２部５４から、ガンマ補正されたＣＭＹＫの各８ビットの有色版データを受け付ける。
【００７５】
クリアプロセッシング５６には、表面効果選択テーブルが記憶されている。なお、表面効果選択テーブルは、記憶部３０に予め記憶してもよい。
【００７６】
クリアプロセッシング５６は、ｓｉ１部５２から受け付けた光沢制御版データを用いて、表面効果選択テーブルを参照し、光沢制御版データを構成する各画素の表す濃度値（画素値）に対する表面効果を判断する。そして、クリアプロセッシング５６は、当該判断に応じて、受け付けたＣＭＹＫの各８ビットの有色版データを用いてインバースマスクやベタマスクを適宜生成することにより、透明トナーを付着させるための２ビットのクリアトナー版データを適宜生成する。
【００７７】
そして、クリアプロセッシング５６は、表面効果の判断の結果に応じて、プリンタ機７０で用いるクリアトナー版データを生成し、ｓｉ３部５７へ出力する。また、クリアプロセッシング５６は、レンダリングエンジン５１から受け付けた８ビットの光沢制御版データについても、クリアトナー版データと共にｓｉ３部５７に出力する。なお、印刷データに光沢制御版データが含まれない場合には、クリアプロセッシング５６は、クリアトナー版データの生成を行わない。
【００７８】
ここで、インバースマスクとは、表面効果を与える対象の領域を構成する各画素上のＣＭＹＫの有色トナー及び透明トナーを合わせた総付着量が均一になるようにするためのものである。具体的には、ＣＭＹＫの有色版データにおいて当該対象の領域を構成する画素の表す濃度値を全て加算し、その加算値を所定値から差し引いた濃度値（画素値）を規定したものがインバースマスクとなる。例えば、上述のインバースマスクは、以下の式（１）で表される。
【００７９】
Ｃｌｒ＝１００−（Ｃ＋Ｍ＋Ｙ＋Ｋ）  但し、Ｃｌｒ＜０となる場合、Ｃｌｒ＝０
・・・式（１）
【００８０】
式（１）において、Ｃｌｒ，Ｃ，Ｍ，Ｙ，Ｋは、透明トナー及びＣ，Ｍ，Ｙ，Ｋの各トナーのそれぞれについて、各画素における濃度値から換算される濃度率を表すものである。即ち、式（１）によって、Ｃ，Ｍ，Ｙ，Ｋの各トナーの総付着量に透明トナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、透明トナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式（１）以外により求められるものがあり、インバースマスクの種類は複数有り得る。
【００８１】
例えば、インバースマスクは、各画素に透明トナーを均一に付着させるものであってもよい。この場合のインバースマスクは、ベタマスクともいい、以下の式（２）で表される。
【００８２】
Ｃｌｒ＝１００・・・式（２）
【００８３】
なお、表面効果を与える対象の画素の中でも、１００％以外の濃度率が対応付けられるものがあるようにしても良く、ベタマスクのパターンは複数有り得る。
【００８４】
また、例えばインバースマスクは、各色の地肌露出率の乗算により求められるものであってもよい。この場合のインバースマスクは、例えば以下の式（３）で表される。
【００８５】
Ｃｌｒ＝１００×｛（１００−Ｃ）／１００｝×｛（１００−Ｍ）／１００｝×｛（１００−Ｙ）／１００｝×｛（１００−Ｋ）／１００｝・・・式（３）
【００８６】
上記式（３）において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００８７】
また、例えばインバースマスクは、最大面積率の網点が平滑性を律すると仮定した方法により求められるものであってもよい。この場合のインバースマスクは、例えば以下の式（４）で表される。
【００８８】
Ｃｌｒ＝１００−ｍａｘ（Ｃ，Ｍ，Ｙ，Ｋ）・・・式（４）
【００８９】
上記式（４）において、ｍａｘ（Ｃ，Ｍ，Ｙ，Ｋ）は、ＣＭＹＫのうち最大の濃度値を示す色の濃度値が代表値となることを示す。
【００９０】
要するに、インバースマスクは、上記式（１）〜式（４）の何れかの式により表されるものであればよい。
【００９１】
次に、表面効果選択テーブルについて説明する。表面効果選択テーブルは、濃度値と、表面効果の種類と、プリンタ機７０で用いるクリアトナー版データと、の対応関係を示すテーブルである。
【００９２】
図９は、表面効果選択テーブルの一例を示す図である。図９に示される表面効果の種類及び濃度値の対応関係においては、濃度値の範囲毎に表面効果の種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００９３】
図９の表面効果選択テーブルを例にあげてより具体的に説明すると、例えば、「２３８」〜「２５５」の画素値に対しては表面効果として鏡面光沢（ＰＭ）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。
【００９４】
また、「２１２」〜「２３２」の画素値に対しては、ベタ光沢（Ｇ）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。
【００９５】
また、「２３」〜「４３」の画素値に対しては、網点マット（Ｍ）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し（ＰＭ）が対応付けられており、このうち、「１」〜「７」の画素値、「８」〜「１２」の画素値及び「１３」〜「１７」の画素値の３つの範囲に対して各々異なるタイプのつや消しが対応付けられている。なお、「０」の濃度値には、表面効果を与えないことが対応付けられている。
【００９６】
また、濃度値が「２２８」〜「２３２」であり表面効果がベタ光沢である場合、プリンタ機７０で用いるクリアトナー版データは、インバースマスク１であることが示されている。なお、インバースマスク１は、上記式（１）〜式（４）の何れかの式により表されるものであればよい。また、表面効果が網点マットである場合、プリンタ機７０で用いるクリアトナー版データは、ハーフトーン（網点）を表すものであり、また、表面効果がつや消しである場合、プリンタ機７０で用いるクリアトナー版データは、ないことが示されている。
【００９７】
クリアプロセッシング５６は、表面効果選択テーブルを予め記憶する。なお、表面効果選択テーブルは、記憶部３０に予め記憶してもよい。
【００９８】
クリアプロセッシング５６は、上述にように、表面効果選択テーブルを参照して、光沢制御版データによって示される各画素値に対応付けられている表面効果を判断し、プリンタ機７０でどのようなクリアトナー版データを用いるかを判断する。
【００９９】
そして、クリアプロセッシング５６は、当該判断の結果に応じて、クリアトナー版データを適宜生成してこれをｓｉ３部５７に出力する。
【０１００】
図８に戻り、ｓｉ３部５７は、ハーフトーン処理後のＣＭＹＫの各２ビットの有色版データと、クリアプロセッシング５６から受け付けた２ビットのクリアトナー版データと、８ビットの光沢制御版データと、を出力制御部５８へ出力する。
【０１０１】
出力制御部５８については詳細を後述する。
【０１０２】
第１取得部５９は、印刷データを取得する。本実施の形態では、第１取得部５９は、２ビットの有色版データと、２ビットのクリアトナー版データと、８ビットの光沢制御版データと、をｓｉ３部５７から取得すると共に、記憶部３０またはレンダリングエンジン５１から印刷属性情報（印刷方法情報、および形成対象の記録媒体のサイズを含む）を取得する。そして、第１取得部５９は、これらの、２ビットの有色版データと、２ビットのクリアトナー版データと、８ビットの光沢制御版データと、印刷属性情報（印刷方法情報、および形成対象の記録媒体のサイズを含む）と、を含む印刷データを取得する。
【０１０３】
なお、光沢制御版データ及びクリアトナー版データは、印刷方法情報が第１印刷方法である場合のみ取得する。
【０１０４】
第２取得部６２は、プリンタ機７０の画像形成部７９から、画像形成部７９に搭載されている記録媒体の媒体種（第１記録媒体または透明な第２記録媒体を示す媒体種）と、画像形成部７９に搭載されている特色トナーの特色トナー情報と、を示す装置情報を取得する。
【０１０５】
例えば、第２取得部６２は、ＭＩＣ６０を介してプリンタ機７０へ、装置情報の取得要求を送信する。プリンタ機７０のプリンタ制御部７１は、取得要求を受信すると、装置情報を生成し、ＭＩＣ６０を介してＤＦＥ５０へ送信する。ＤＦＥ５０の第２取得部６２は、プリンタ機７０から装置情報を受信することで、装置情報を取得する。
【０１０６】
本実施の形態では、第２取得部６２は、プリンタ機７０の各給紙トレイ７８に搭載された記録媒体２０の媒体種、給紙トレイ７８の識別情報、および記録媒体２０のサイズを含む検知信号と、画像形成部７９に搭載されている特色トナーの特色トナー情報（白色トナー、または透明トナー）と、を含む装置情報を取得する。
【０１０７】
判定部６３は、第１取得部５９が取得した印刷データに含まれる印刷方法情報と、プリンタ機７０から取得した装置情報と、に対応する制御条件を、制御情報から判定する。
【０１０８】
制御情報は、印刷方法情報と、装置情報と、制御条件と、を対応づけた情報である。
【０１０９】
なお、制御情報は、印刷方法情報と、装置情報と、制御情報と、を対応づけた情報であればよく、そのデータ形式は限定されない。例えば、制御情報は、これらの情報を対応づけたテーブルやデータベースである。
【０１１０】
図１０は、制御情報のデータ形式の一例を示す図である。図１０に示すように、制御情報は、印刷方法情報と、装置情報と、制御条件と、を対応づけた情報である。
【０１１１】
印刷方法情報は、上述したように、第１印刷方法、第２印刷方法、または第３印刷方法である。装置情報は、図１０に示す例では、特色トナー情報と、媒体種と、を含む。特色トナー情報は、白色トナーまたは透明トナーである。制御情報に登録される媒体種は、画像形成部７９に搭載されている媒体の種類を示す情報である。図１０に示す例では、制御情報に登録される媒体種は、「透明媒体あり」、「透明媒体のみ」、「白色媒体あり」、「白色媒体のみ」の何れかを示す。
【０１１２】
「透明媒体あり」は、プリンタ機７０（画像形成部７９）から取得した装置情報に含まれる媒体種に、「透明媒体」が含まれていることを示す。「透明媒体のみ」は、プリンタ機７０（画像形成部７９）から取得した装置情報に含まれる媒体種が「透明媒体」のみ、である場合を示す。「白色媒体あり」は、プリンタ機７０（画像形成部７９）から取得した装置情報に含まれる媒体種に、「白色媒体」が含まれていることを示す。「白色媒体のみ」は、プリンタ機７０（画像形成部７９）から取得した装置情報に含まれる媒体種が「白色媒体」のみ、である場合を示す。
【０１１３】
制御条件は、対応する印刷方法情報によって実現される表面効果を、対応する装置情報に含まれる媒体種の記録媒体、および、該装置情報に含まれる透明トナーまたは白色トナー、を用いて実現するための、画像形成部７９の制御条件である。
【０１１４】
制御条件は、有色版データおよび光沢制御版データの各々に施す画像処理内容と、記録媒体における印刷対象面と、を少なくとも定めた情報である。なお、光沢制御版データに施す画像処理内容は、対応する印刷方法情報が第１印刷方法である場合にのみ定められている。制御条件は、第１規定条件、第２規定条件、第３規定条件、第１制御条件、第２制御条件、第３制御条件、または、第４制御条件を示す。
【０１１５】
第１規定条件は、第１印刷方法によって実現する表面効果を、第１印刷方法の正規の条件（白色媒体上に、有色画像および透明画像を形成）で実現するための制御条件である。すなわち、第１規定条件は、図３（Ａ）に示すように、白色媒体２０Ｗの片面に、有色トナーによる有色画像２４および透明トナーによる透明画像２６を形成することで、第１印刷方法の表面効果を実現するための制御条件である。
【０１１６】
第１制御条件は、第１印刷方法によって実現する表面効果を、第１規定条件に代えて、代替の条件で画像形成部７９に実現させるための、画像形成部７９の制御条件である。具体的には、第１制御条件は、第１印刷方法によって実現される表面効果を、白色トナーおよび透明媒体を用いて実現するための、画像形成部７９の制御条件である。
【０１１７】
第２制御条件は、特色トナーを用いた画像形成を行わず、有色画像のみを画像形成部７９に形成させる制御条件である。
【０１１８】
第２規定条件は、第２印刷方法によって実現する表面効果を、第２印刷方法の正規の条件（白色画像、有色画像、透明媒体、をこの順に積層）で実現するための制御条件である。すなわち、第２規定条件は、図３（Ｂ）に示すように、白色画像２２、有色画像２４、および透明媒体２０Ｔをこの順に積層することで、第２印刷方法の表面効果を実現するための制御条件である。
【０１１９】
第３制御条件は、第２印刷方法によって実現する表面効果を、第２規定条件に代えて、代替の条件で画像形成部７９に実行させるための、画像形成部７９の制御条件である。具体的には、第３制御条件は、第２印刷方法によって実現される表面効果を、透明トナーおよび白色媒体を用いて実現するための、画像形成部７９の制御条件である。
【０１２０】
第３規定条件は、第３印刷方法によって実現する表面効果を、第３印刷方法の正規の条件（白色トナー、透明媒体、有色画像、をこの順に積層）で実現するための制御条件である。すなわち、第３規定条件は、図３（Ｃ）に示すように、白色画像２２、透明媒体２０Ｔ、および有色画像２４、をこの順に積層することで、第３印刷方法の表面効果を実現するための制御条件である。
【０１２１】
第４制御条件は、第３印刷方法によって実現する表面効果を、第３規定条件に代えて、代替の条件で画像形成部７９に実行させるための、画像形成部７９の制御条件である。具体的には、第４制御条件は、第３印刷方法によって実現される表面効果を、透明トナー及び白色媒体を用いて実現するための、画像形成部７９の制御条件である。
【０１２２】
判定部６３は、第１取得部５９で取得した印刷データに含まれる印刷方法情報が第１印刷方法を示し、且つ、第２取得部６２で取得した装置情報が白色媒体を示す媒体種、および透明トナーを示す特色トナー情報を含む場合に、制御情報（図１０参照）における、対応する制御条件として、第１規定条件を判定する。
【０１２３】
また、判定部６３は、第１取得部５９で取得した印刷データに含まれる印刷方法情報が第１印刷方法を示し、且つ、第２取得部６２で取得した装置情報が透明媒体を示す媒体種、および白色トナーを示す特色トナー情報を含む場合に、制御情報（図１０参照）における、対応する制御条件として、第１制御条件を判定する。
【０１２４】
また、判定部６３は、第１取得部５９で取得した印刷方法情報が第１印刷方法を示し、且つ、第２取得部６２で取得した装置情報が白色トナーを示す特色トナー情報と白色媒体のみを示す媒体種、または透明トナーを示す特色トナー情報と透明媒体のみを示す媒体種を含む場合に、制御情報（図１０参照）における、対応する制御条件として、第２制御条件を判定する。
【０１２５】
また、判定部６３は、第１取得部５９で取得した印刷方法情報が第２印刷方法を示し、且つ、第２取得部６２で取得した装置情報が白色トナーを示す特色トナー情報と白色媒体のみを示す媒体種、または透明トナーを示す特色トナー情報と透明媒体のみを示す媒体種を含む場合に、制御情報（図１０参照）における、対応する制御条件として、第２制御条件を判定する。
【０１２６】
また、判定部６３は、第１取得部５９で取得した印刷方法情報が第３印刷方法を示し、且つ、第２取得部６２で取得した装置情報が白色トナーを示す特色トナー情報と白色媒体のみを示す媒体種、または透明トナーを示す特色トナー情報と透明媒体のみを示す媒体種を含む場合に、制御情報（図１０参照）における、対応する制御条件として、第２制御条件を判定する。
【０１２７】
さらに、判定部６３は、第１取得部５９で取得した印刷データに含まれる印刷方法情報が第２印刷方法を示し、且つ、第２取得部６２で取得した装置情報が透明媒体を示す媒体種、および白色トナーを示す特色トナー情報を含む場合に、制御情報（図１０参照）における、対応する制御条件として、第２規定条件を判定する。
【０１２８】
また、判定部６３は、第１取得部５９で取得した印刷データに含まれる印刷方法情報が第２印刷方法を示し、且つ、第２取得部６２で取得した装置情報が白色媒体を示す媒体種、および透明トナーを示す特色トナー情報を含む場合に、制御情報（図１０参照）における、対応する制御条件として、第３制御条件を判定する。
【０１２９】
また、判定部６３は、第１取得部５９で取得した印刷データに含まれる印刷方法情報が第３印刷方法を示し、且つ、第２取得部６２で取得した装置情報が透明媒体を示す媒体種、および白色トナーを示す特色トナー情報を含む場合に、制御情報（図１０参照）における、対応する制御条件として、第３規定条件を判定する。
【０１３０】
また、判定部６３は、第１取得部５９で取得した印刷データに含まれる印刷方法情報が第３印刷方法を示し、且つ、第２取得部６２で取得した装置情報が白色媒体を示す媒体種、および透明トナーを示す特色トナー情報を含む場合に、制御情報（図１０参照）における、対応する制御条件として、第４制御条件を判定する。
【０１３１】
図８に戻り、判定部６３は、上述のように、印刷データに含まれる印刷方法情報と、プリンタ機７０（画像形成部７９）から取得した装置情報と、に対応する制御条件を、制御情報（図１０参照）から読取ることで、制御条件を判定する。そして、判定結果を、出力制御部５８へ出力する。
【０１３２】
出力制御部５８は、ハーフトーン処理後のＣＭＹＫの各２ビットの有色版データと、２ビットのクリアトナー版データと、８ビットの光沢制御版データと、をｓｉ３部５７から受け付ける。なお、２ビットのクリアトナー版データ、および、８ビットの光沢制御版データについては、ＤＦＥ５０で取得した印刷データに含まれる印刷方法情報が第１印刷方法である場合にのみ、ｓｉ３部５７から受け付ける。また、出力制御部５８は、判定部６３による制御条件の判定結果を受け付ける。
【０１３３】
そして、出力制御部５８は、２ビットの有色版データと、２ビットのクリアトナー版データと、８ビットの光沢制御版データについて、判定部６３による判定結果によって示される制御条件に応じた画像処理を行い、出力データを生成する。そして、出力データを、ＭＩＣ６０を介してプリンタ機７０（画像形成部７９）へ送信することで、画像形成部７９を制御する。
【０１３４】
具体的には、出力制御部５８は、第１取得部５９で取得した印刷データに含まれる印刷方法情報が第１印刷方法を示し、且つ、第２取得部６２で取得した装置情報が白色媒体（第１記録媒体）を示す媒体種および透明トナーを示す特色トナー情報の少なくとも一方を含まない場合、取得した装置情報に含まれる媒体種の記録媒体（透明媒体）、および、第２取得部６２で取得した装置情報に含まれる特色トナー情報によって示される透明トナーまたは白色トナーを用いて、第１印刷方法および光沢制御版データに応じた表面効果を実現するように、画像形成部７９を制御する。
【０１３５】
すなわち、出力制御部５８は、第１取得部５９で取得した印刷データに含まれる印刷方法情報が第１印刷方法を示し、且つ、第２取得部６２で取得した装置情報が透明媒体を示す媒体種および白色トナーを示す特色トナー情報を含む場合に、透明媒体および白色トナーを用いて、第１印刷方法および光沢制御版データに応じた表面効果を実現するように、画像形成部７９を制御する。
【０１３６】
ここで、上述したように、制御条件は、有色版データおよび光沢制御版データに施す画像処理内容と、記録媒体における印刷対象面と、を少なくとも定めた情報である。
【０１３７】
このため、出力制御部５８は、取得した印刷データに含まれる印刷方法情報が第１印刷方法の場合、次の処理を行う。すなわち、出力制御部５８は、有色版データおよび光沢制御版データに対して、判定された制御条件に定められた画像処理内容の画像処理を行い、有色データおよび特色データを生成する。
【０１３８】
特色データは、プリンタ機７０（画像形成部７９）に搭載された特色トナーを記録媒体に付与するためのデータであり、画素ごとに濃度値を定めたものである。
【０１３９】
そして、出力制御部５８は、有色データおよび特色データと、設定情報と、を含む出力データを、プリンタ機７０（画像形成部７９）へ出力する。
【０１４０】
設定情報は、判定部６３で判定された制御条件に定められた印刷対象面と、制御情報（図１０参照）における、判定された制御条件に対応する装置情報に含まれる媒体種と、を含む。
【０１４１】
そして、出力制御部５８は、出力データをプリンタ機７０（画像形成部７９）へ出力することで、取得した装置情報に含まれる媒体種の記録媒体および取得した該装置情報に含まれる特色トナー情報によって示される透明トナーまたは白色トナーを用いて、印刷方法情報および光沢制御版データに応じた表面効果を実現するようにプリンタ機７０（画像形成部７９）を制御する。
【０１４２】
図１１は、出力制御部５８の機能ブロック図である。出力制御部５８は、第１生成部５８Ａと、第２生成部５８Ｂと、第３生成部５８Ｃと、出力部５８Ｄと、を含む。
【０１４３】
第１生成部５８Ａは、出力制御部５８で受け付けた有色版データに対して、判定された制御条件に定められた画像処理内容の画像処理を行うことによって有色データを生成する。
【０１４４】
第２生成部５８Ｂは、光沢制御版データおよび有色版データに対して、判定された制御条件に定められた画像処理内容の画像処理を行うことによって特色データを生成する。
【０１４５】
第３生成部５８Ｃは、判定された制御条件に定められた印刷対象面と、判定された制御条件に対応する装置情報に含まれる媒体種と、を含む設定情報を生成する。この媒体種は、制御情報（図１０）から読取ればよい。
【０１４６】
出力部５８Ｄは、有色データと、特色データと、設定情報と、を含む出力データを、プリンタ機７０（画像形成部７９）へ出力する。
【０１４７】
以下、第１生成部５８Ａ、第２生成部５８Ｂ、第３生成部５８Ｃ、および出力部５８Ｄについて、更に詳細に説明する。
【０１４８】
第１生成部５８Ａは、判定部６３によって第１制御条件と判定された場合に、２ビットの有色版データを構成する画素の内、８ビットの光沢制御版データを構成する対応する画素位置の画素の濃度値が閾値以上である画素を、記録媒体の表面用の第１有色版データとして生成する。また、第１生成部５８Ａは、２ビットの有色版データを構成する画素の内、８ビットの光沢制御版データを構成する対応する画素位置の画素の濃度値が閾値未満である画素を記録媒体の裏面用の第２有色版データとして生成する。更に、第１生成部５８Ａは、第１有色版データによって示される画像を鏡像反転することで、第３有色版データを生成する。
【０１４９】
そして、第１生成部５８Ａは、第３有色版データを記録媒体の表面用の有色画像のデータとし、第２有色版データを記録媒体の裏面用の有色画像のデータとした、有色データを生成する。なお、第１生成部５８Ａは、第３有色版データに、記録媒体の表面用の有色画像のデータであることを示す表面情報を付与し、第２有色版データに、記録媒体の裏面用の有色画像のデータであることを示す裏面情報を付与し、有色データとして生成する。
【０１５０】
また、第２生成部５８Ｂは、判定部６３によって第１制御条件と判定された場合に、８ビットの光沢制御版データと、２ビットのクリア版データと、を破棄し、白色トナーによる白色層（１００％濃度のベタマスク）を記録媒体の表面に形成するための白色データを、特色データとして生成する。
【０１５１】
第３生成部５８Ｃは、判定部６３によって第１制御条件と判定された場合に、記録媒体の両面を示す印刷対象面と、透明媒体を示す媒体種と、を含む設定情報を生成する。
【０１５２】
一方、第１生成部５８Ａは、第２制御条件と判定された場合に、２ビットの有色版データを有色データとして生成する。また、第２生成部５８Ｂは、第２制御条件と判定された場合に、光沢制御版データ及びクリアトナー版データを破棄し、全画素を無効とした特色データをする。また、第３生成部５８Ｃは、第２制御条件と判定された場合に、記録媒体の片面を示す印刷対象面と、取得した装置情報に含まれる記録媒体の媒体種と、を含む設定情報を生成する。
【０１５３】
また、第１生成部５８Ａは、第３制御条件と判定された場合に、２ビットの有色版データを有色データとして生成する。また、第２生成部５８Ｂは、第３制御条件と判定された場合に、各画素位置に対応するトナーの総付着量が予め定めた第２閾値となるように、ハーフトーン処理前の８ビットの有色版データによって特定される各画素の濃度値に応じて、各画素の濃度値を定めた特色データを生成する。そして、第３生成部５８Ｃは、記録媒体の片面を示す印刷対象面と、白色媒体を示す媒体種と、を含む設定情報を生成する。
【０１５４】
また、第１生成部５８Ａは、第４制御条件と判定された場合に、２ビットの有色版データを有色データとして生成する。第２生成部５８Ｂは、第４制御条件と判定された場合に、予め定めた網点パターンを示す特色データを生成する。第３生成部５８Ｃは、第４制御条件と判定された場合に、記録媒体の片面を示す印刷対象面と、白色媒体を示す媒体種と、を含む前記設定情報を生成する。
【０１５５】
そして、出力部５８Ｄは、生成された、有色データと、特色データと、設定情報と、を含む出力データを、ＭＩＣ６０を介して、プリンタ機７０（画像形成部７９）へ出力する。
【０１５６】
図１に戻り、ＭＩＣ６０は、ＤＦＥ５０から受け付けた出力データを、プリンタ機７０（画像形成部７９）へ出力する。また、ＭＩＣ６０は、プリンタ機７０（画像形成部７９）から受け付けた装置情報を、ＤＦＥ５０へ送信する。
【０１５７】
図２に示すように、プリンタ機７０のプリンタ制御部７１は、通信部７３を介して出力データを受け付ける。プリンタ制御部７１は、出力データに含まれる設定情報を読取る。そして、プリンタ制御部７１は、設定情報に示される媒体種（白色媒体、または透明媒体）によって特定される記録媒体の搭載された給紙トレイ７８から記録媒体を搬送し、該記録媒体に画像形成するように画像形成部７９を制御する。
【０１５８】
また、プリンタ制御部７１は、出力データに含まれる有色データの有色画像を、記録媒体における設定情報に示される印刷対象面に形成するように、画像形成部７９を制御する。また、プリンタ制御部７１は、出力データに含まれる特色データ（白色トナーまたは透明トナー）の特色画像を、記録媒体における設定情報に示される印刷対象面に形成するように、画像形成部７９を制御する。
【０１５９】
このため、ＤＦＥ５０から出力された出力データに含まれる有色データによって特定される有色画像が、設定情報によって特定される記録媒体の該設定情報によって特定される印刷対象面に、有色トナーで形成される。また、該出力データに含まれる特色データによって特定される表面効果が、該画像形成部７９に搭載されている特色トナー（白色トナーまたは透明トナー）によって、記録媒体の該設定情報によって特定される印刷対象面に付与される。
【０１６０】
次に、本実施の形態に係る画像処理システムが行う画像処理の手順を説明する。図１２は、本実施の形態における画像処理の手順の一例を示すフローチャートである。
【０１６１】
まず、ＤＦＥ５０がホスト装置１０から印刷データを受信する（ステップＳ１２）。次に、レンダリングエンジン５１が、印刷データに含まれる有色版データについて、色変換やラスタ形式への変換などを行い、８ビットのＣＭＹＫの有色版データを生成する（ステップＳ１４）。
【０１６２】
次に、ＤＦＥ５０が、ステップＳ１２で受信した印刷データに光沢制御版データが含まれるか否かを判断する（ステップＳ１６）。なお、ステップＳ１６の判断は、ステップＳ１２で受信した印刷データに含まれる印刷方法情報が、第１印刷方法を示すか否かの判断であってもよい。ステップＳ１６で肯定判断すると（ステップＳ１６：Ｙｅｓ）、ステップＳ１８へ進む。ステップＳ１６で否定判断すると（ステップＳ１６：Ｎｏ）、ステップＳ２０へ進む。
【０１６３】
ステップＳ１８では、レンダリングエンジン５１が、印刷データに含まれる光沢制御版データをラスタ形式に変換して、８ビットの光沢制御版データを生成する（ステップＳ１８）（詳細後述）。
【０１６４】
次に、ＴＲＣ５３が、ＣＭＹＫの各８ビットの有色版データに対してキャリブレーションにより生成された１Ｄ＿ＬＵＴのガンマカーブでガンマ補正を行い、ガンマ補正後のＣＭＹＫの各８ビットの有色版データを、ｓｉ２部５４を介してハーフトーンエンジン５５とクリアプロセッシング５６とに出力する。ハーフトーンエンジン５５はガンマ補正後の８ビットの有色版データに対して、ハーフトーン処理を行い、２ビットの有色版データを生成する（ステップＳ２０）。
【０１６５】
次に、ＤＦＥ５０が、ステップＳ１２で受信した印刷データに光沢制御版データが含まれるか否かを判断する（ステップＳ２２）。なお、ステップＳ２２の判断は、ステップＳ１２で受信した印刷データに含まれる印刷方法情報が、第１印刷方法を示すか否かの判断であってもよい。ステップＳ２２で肯定判断すると（ステップＳ２２：Ｙｅｓ）、ステップＳ２４へ進む。ステップＳ２２で否定判断すると（ステップＳ２２：Ｎｏ）、ステップＳ２８へ進む。
【０１６６】
ステップＳ２４では、クリアプロセッシング５６が、ｓｉ２部５４から出力されたガンマ補正後のＣＭＹＫの各８ビットの有色版データを適宜用いて、透明トナーを付着させるための８ビットのクリアトナー版データを適宜生成する（ステップＳ２４）。
【０１６７】
そして、クリアプロセッシング５６は、ハーフトーン処理により、８ビットのクリアトナー版データを２ビットのクリアトナー版データに変換する（ステップＳ２６）。そして、クリアプロセッシング５６は、２ビットのクリアトナー版データと、ステップＳ１８で生成した８ビットの光沢制御版データと、をｓｉ３部５７へ出力する。
【０１６８】
次に、第１取得部５９が、印刷データを取得する（ステップＳ２８）。次に、第２取得部６２が、プリンタ機７０の画像形成部７９から装置情報を取得する（ステップＳ３０）。
【０１６９】
次に、ＤＦＥ５０が、プリンタ機７０（画像形成部７９）の出力制御を実行する（ステップＳ３２）（詳細後述）。そして、本ルーチンを終了する。
【０１７０】
図１３は、図１２のステップＳ１８の８ビットの光沢制御版データの生成処理を説明するフローチャートである。
【０１７１】
レンダリングエンジン５１は、ベクター形式の光沢制御版データに示される描画オブジェクトに対応する座標範囲の画素に対して、描画オブジェクトに対して設定された濃度値を付与する（ステップＳ４１）。これによって、レンダリングエンジン５１は、ベクター形式の光沢制御版データをラスタ形式に変換する。そして、レンダリングエンジン５１は、この変換処理を、ベクター形式の光沢制御版データに存在する全ての描画オブジェクトに対して完了したか否かを判断する（ステップＳ４２）。
【０１７２】
そして、レンダリングエンジン５１は、ステップＳ４２で否定判断すると（ステップＳ４２：Ｎｏ）、光沢制御版データの中で未処理の次の描画オブジェクトを選択し（ステップＳ４４）、ステップＳ４１の処理を繰り返す。
【０１７３】
一方、ステップＳ４２で肯定判断すると（ステップＳ４２：Ｙｅｓ）、ラスタ形式に変換された光沢制御版データを出力する（ステップＳ４３）。以上の処理により、光沢制御版データは、画素ごとに表面効果の種類の規定されたデータに変換されることになる。
【０１７４】
次に、図１２のステップＳ３２における、出力制御の手順を説明する。図１４は、出力制御の手順を示すフローチャートである。
【０１７５】
まず、判定部６３が、第１取得部５９が取得した印刷データに含まれる印刷方法情報と、プリンタ機７０から取得した装置情報と、に対応する制御条件を判定する（ステップＳ１００）。
【０１７６】
次に、出力制御部５８は、第１取得部５９で取得した印刷データに含まれる印刷方法情報が第１印刷方法であるか否かを判断する（ステップＳ１０２）。ステップＳ１０２で肯定判断すると（ステップＳ１０２：Ｙｅｓ）、ステップＳ１０４へ進む。
【０１７７】
ステップＳ１０４では、出力制御部５８が、ステップＳ１００の判定部６３の判定結果が第１規定条件であるか否かを判断する（ステップＳ１０４）。
【０１７８】
ステップＳ１０４で肯定判断すると（ステップＳ１０４：Ｙｅｓ）、ステップＳ１０６へ進む。ステップＳ１０６では、第１生成部５８Ａが、出力制御部５８で受け付けた２ビットの有色版データを有色データとして用いることで、有色データを生成する（ステップＳ１０６）。
【０１７９】
次に、第２生成部５８Ｂが、出力制御部５８で受け付けた２ビットのクリアトナー版データを、特色データとして用いることで、特色データを生成する（ステップＳ１０８）。
【０１８０】
次に、第２生成部５８Ｂは、出力制御部５８で受け付けた８ビットの光沢制御版データを破棄する（ステップＳ１１０）。
【０１８１】
次に、第３生成部５８Ｃが、設定情報を生成する（ステップＳ１１２）。ステップＳ１１２では、第３生成部５８Ｃは、記録媒体の片面を示す印刷対象面（片面印刷）と、白色媒体を示す媒体種と、を含む設定情報を生成する（ステップＳ１１２）。
【０１８２】
次に、出力部５８Ｄが、ステップＳ１０６で生成した有色データと、ステップＳ１０８で生成した特色データと、ステップＳ１１２で生成した設定情報と、を含む出力データを、ＭＩＣ６０を介してプリンタ機７０へ出力する（ステップＳ１１４）。そして本ルーチンを終了する。
【０１８３】
ステップＳ１１４で出力された出力データを受け付けたプリンタ機７０のプリンタ制御部７１は、該出力データに含まれる設定情報に示される白色媒体の、該設定情報に示される印刷対象面である片面に、有色データの有色画像を有色トナーで形成すると共に、特色データの特色画像を透明トナーで形成するように、画像形成部７９を制御する。このため、白色媒体上に、有色画像及び特色画像の形成された、第１印刷方法によって規定される表面効果の実現された記録媒体が得られる。
【０１８４】
すなわち、図３（Ａ）に示すように、白色媒体２０Ｗの片面に、有色トナーによる有色画像２４および透明トナーによる透明画像２６を形成することで、第１印刷方法および光沢制御版データに応じた表面効果を実現することができる。
【０１８５】
一方、上記ステップＳ１０４で否定判断すると（ステップＳ１０４：Ｎｏ）、ステップＳ１１６へ進む。
【０１８６】
ステップＳ１１６では、ステップＳ１００の判定結果が、第１制御条件であるか否かを判断する（ステップＳ１１６）。ステップＳ１１６で肯定判断すると（ステップＳ１１６：Ｙｅｓ）、ステップＳ１１８へ進む。
【０１８７】
ステップＳ１１８では、第１生成部５８Ａが、出力制御部５８で受け付けた２ビットの有色版データを、表面用の第１有色版データと裏面用の第２有色版データに分離する（ステップＳ１１８）。第１生成部５８Ａは、上述したように、２ビットの有色版データを構成する画素の内、８ビットの光沢制御版データを構成する対応する画素位置の画素の濃度値が閾値以上である画素を、記録媒体の表面用の第１有色版データとして生成する。また、第１生成部５８Ａは、２ビットの有色版データを構成する画素の内、８ビットの光沢制御版データを構成する対応する画素位置の画素の濃度値が閾値未満である画素を記録媒体の裏面用の第２有色版データとして生成する。
【０１８８】
次に、第１生成部５８Ａは、ステップＳ１１８で生成した第１有色版データによって示される画像を鏡像反転することで、第３有色版データを生成する（ステップＳ１２０）。
【０１８９】
そして、第１生成部５８Ａは、第３有色版データを記録媒体の表面用の有色画像のデータとし、第２有色版データを記録媒体の裏面用の有色画像のデータとした、有色データを生成する（ステップＳ１２２）。
【０１９０】
次に、第２生成部５８Ｂが、８ビットの光沢制御版データと、２ビットのクリア版データと、を破棄する（ステップＳ１２４）。次に、第２生成部５８Ｂは、記録媒体の表面用の（記録媒体における、表面用の第３有色版データと同一面に形成対象の）白色トナーによる白色層として、１００％濃度のベタマスクを示す白色データを特色データとして生成する（ステップＳ１２６）。なお、第２生成部５８Ｂは、裏面用（記録媒体における、裏面用の第２有色版データと同一面に形成対象の）の白色トナーによる白色層の白色データとして、全画素を無効とした白色データを更に生成してもよい。
【０１９１】
次に、第３生成部５８Ｃは、判定部６３によって第１制御条件と判定された場合に、記録媒体の両面を示す印刷対象面と、透明媒体を示す媒体種と、を含む設定情報を生成する（ステップＳ１２７）。
【０１９２】
次に、出力部５８Ｄが、ステップＳ１２２で生成した有色データと、ステップＳ１２６で生成した特色データと、ステップＳ１２７で生成した設定情報と、を含む出力データを、ＭＩＣ６０を介してプリンタ機７０へ出力する（ステップＳ１２８）。そして本ルーチンを終了する。
【０１９３】
ステップＳ１２８で出力された出力データを受け付けたプリンタ機７０のプリンタ制御部７１は、該出力データに含まれる設定情報に示される透明媒体の、該設定情報に示される印刷対象面である両面に、有色データの有色画像を有色トナーで形成すると共に、特色データの白色画像を透明トナーで形成するように、画像形成部７９を制御する。このとき、プリンタ制御部７１は、透明媒体における、一方の面に、裏面用の第２有色版データによる有色画像を形成するように、画像形成部７９を制御する。また、プリンタ制御部７１は、透明媒体における、他方の面に、表面用の第３有色版データ、１００％濃度の特色データによる白色画像を、この順に形成するように、画像形成部７９を制御する。なお、第３生成部５８Ｃは、この有色画像及び白色画像の形成順を示す順序情報を、設定情報に含めて生成すればよい。プリンタ制御部７１は、設定情報に含まれる順序情報に応じて、有色画像及び白色画像を積層させるように、画像形成部７９を制御すればよい。
【０１９４】
このため、ＤＦＥ５０は、第１印刷方法の正規の条件がプリンタ機７０（画像形成部７９）側で整っていない場合に、第１規定条件の代替の条件である第１制御条件を用いて、第１印刷方法および光沢制御版データに応じた表面効果を実現するように、画像形成部７９を制御することができる。すなわち、第１印刷方法によって実現される、光学制御版データによって示される表面効果を、白色トナーおよび透明媒体を用いて、画像形成部７９に実行させることができる。
【０１９５】
一方、ステップＳ１１６で否定判断すると（ステップＳ１１６：Ｎｏ）、ステップＳ１３０へ進む。
【０１９６】
ステップＳ１３０では、第１生成部５８Ａが、２ビットの有色版データを有色データとして用いることで、有色データを生成する（ステップＳ１３０）。
【０１９７】
次に、第２生成部５８Ｂが、８ビットの光沢制御版データおよび２ビットのクリアトナー版データを破棄する（ステップＳ１３２）。
【０１９８】
次に、第２生成部５８Ｂは、全画素を無効とした特色データを生成する（ステップＳ１３４）。なお、ステップＳ１３４で生成する特色データは、全画素の濃度値を０％としたものである。このため、ステップＳ１３４の処理を省略してもよい。
【０１９９】
次に、第３生成部５８Ｃが、設定情報を生成する（ステップ１３６）。ステップＳ１３６では、第３生成部５８Ｃは、記録媒体の片面を示す印刷対象面（片面印刷）と、媒体種と、を含む設定情報を生成する（ステップＳ１３６）。なお、第３生成部５８Ｃは、第１取得部５９で取得した印刷データに含まれる印刷方法情報（第１印刷方法、第２印刷方法、または第３印刷方法）と、ステップＳ１００で判定された制御条件と、第２取得部６２で取得した印刷情報に含まれる特色トナー情報（白色トナーまたは透明トナー）と、に対応する媒体種を、制御情報（図１０参照）から読取る。そして、第３生成部５８Ｃは、読取った媒体種を含む設定情報を生成すればよい。
【０２００】
次に、出力部５８Ｄが、ステップＳ１３０で生成した有色データと、ステップＳ１３４で生成した特色データと、ステップＳ１３６で生成した設定情報と、を含む出力データを、ＭＩＣ６０を介してプリンタ機７０へ出力する（ステップＳ１３８）。そして本ルーチンを終了する。
【０２０１】
ステップＳ１３８で出力された出力データを受け付けたプリンタ機７０のプリンタ制御部７１は、該出力データに含まれる設定情報に示される記録媒体（白色媒体または透明媒体）の、該設定情報に示される印刷対象面である片面に、有色データの有色画像を有色トナーで形成するように、画像形成部７９を制御する。
【０２０２】
このため、ＤＦＥ５０は、第１印刷方法の正規の条件がプリンタ機７０（画像形成部７９）側で整っておらず、且つ、画像形成部７９から取得した装置情報が白色トナーを示す特色トナー情報と白色媒体のみを示す媒体種、または透明トナーを示す特色トナー情報と透明媒体のみを示す媒体種を含む場合、特色トナーによる画像形成を行わず、有色トナーのみを用いて記録媒体に有色画像を形成するように、画像形成部７９を制御することができる。このため、画像形成部７９による画像形成を中断することなく継続することができる。
【０２０３】
一方、上記ステップＳ１０２で否定判断すると（ステップＳ１０２：Ｎｏ）、ステップＳ１４０へ進む。ステップＳ１４０では、出力制御部５８が、第１取得部５９で取得した印刷データに含まれる印刷方法情報が第２印刷方法であるか否かを判断する（ステップＳ１４０）。ステップＳ１４０で肯定判断すると（ステップＳ１４０：Ｙｅｓ）、ステップＳ１４２へ進む。
【０２０４】
ステップＳ１４２では、出力制御部５８が、ステップＳ１００の判定部６３の判定結果が第２規定条件であるか否かを判断する（ステップＳ１４２）。
【０２０５】
ステップＳ１４２で肯定判断すると（ステップＳ１４２：Ｙｅｓ）、ステップＳ１４４へ進む。ステップＳ１４４では、第１生成部５８Ａが、出力制御部５８で受け付けた２ビットの有色版データを、鏡像反転することで、有色データを生成する（ステップＳ１４４、ステップＳ１４６）。
【０２０６】
次に、第２生成部５８Ｂが、濃度１００％のベタマスクの特色データを生成する（ステップＳ１４８）。
【０２０７】
次に、第３生成部５８Ｃが、設定情報を生成する（ステップＳ１５０）。ステップＳ１５０では、第３生成部５８Ｃは、記録媒体の片面を示す印刷対象面（片面印刷）と、透明媒体を示す媒体種と、を含む設定情報を生成する（ステップＳ１５０）。
【０２０８】
次に、出力部５８Ｄが、ステップＳ１４６で生成した有色データと、ステップＳ１４８で生成した特色データと、ステップＳ１５０で生成した設定情報と、を含む出力データを、ＭＩＣ６０を介してプリンタ機７０へ出力する（ステップＳ１５２）。そして本ルーチンを終了する。
【０２０９】
ステップＳ１５２で出力された出力データを受け付けたプリンタ機７０のプリンタ制御部７１は、該出力データに含まれる設定情報に示される透明媒体の、該設定情報に示される印刷対象面である片面に、有色データの有色画像を有色トナーで形成し、更に、特色データの特色画像を白色トナーで形成するように、画像形成部７９を制御する。このため、透明媒体の片面に、鏡像判定された有色画像と、白色画像と、がこの順に形成された、第２印刷方法によって規定される表面効果の実現された記録媒体が得られる。
【０２１０】
すなわち、図３（Ｂ）に示すように、透明媒体２０Ｔの片面に、有色画像２４、および白色画像２２をこの順に積層することで、第２印刷方法の表面効果を実現することができる。
【０２１１】
一方、上記ステップＳ１４２で否定判断すると（ステップＳ１４２：Ｎｏ）、ステップＳ１５４へ進む。
【０２１２】
ステップＳ１５４では、出力制御部５８が、ステップＳ１００の判定結果が、第３制御条件であるか否かを判断する（ステップＳ１５４）。
【０２１３】
ステップＳ１５４で肯定判断すると（ステップＳ１５４：Ｙｅｓ）、ステップＳ１５６へ進む。ステップＳ１５６では、第１生成部５８Ａが、出力制御部５８で受け付けた２ビットの有色版データを、有色データとして用いることで、有色データを生成する（ステップＳ１５６）。
【０２１４】
次に、第２生成部５８Ｂが、８ビットの有色版データのインバースマスクとなるように、濃度値を画素ごとに定めた特色データを生成する（ステップＳ１５８）。
【０２１５】
次に、第３生成部５８Ｃが記録媒体の片面を示す印刷対象面と、白色媒体を示す媒体種と、を含む設定情報を生成する（ステップＳ１６０）。
【０２１６】
次に、出力部５８Ｄが、ステップＳ１５６で生成した有色データと、ステップＳ１５８で生成した特色データと、ステップＳ１６０で生成した設定情報と、を含む出力データを、ＭＩＣ６０を介してプリンタ機７０へ出力する（ステップＳ１６２）。そして本ルーチンを終了する。
【０２１７】
ステップＳ１６２で出力された出力データを受け付けたプリンタ機７０のプリンタ制御部７１は、該出力データに含まれる設定情報に示される白色媒体の、該設定情報に示される印刷対象面である片面に、有色データの有色画像を有色トナーで形成すると共に、特色データの白色画像を透明トナーで形成するように、画像形成部７９を制御する。
【０２１８】
このため、ＤＦＥ５０は、第２印刷方法の正規の条件がプリンタ機７０（画像形成部７９）側で整っていない場合に、第２規定条件の代替の条件である第３制御条件を用いて、第２印刷方法によって表される表面効果を実現するように、画像形成部７９を制御することができる。すなわち、第２印刷方法によって実現される表面効果を、透明トナーおよび白色媒体を用いて、画像形成部７９に実行させることができる。
【０２１９】
一方、ステップＳ１５４で否定判断すると（ステップＳ１５４：Ｎｏ）、上記ステップＳ１３０へ進む。そして、出力制御部５８は、ステップＳ１３０〜ステップＳ１３８の処理を実行する。
【０２２０】
このため、ＤＦＥ５０は、第２印刷方法の正規の条件がプリンタ機７０（画像形成部７９）側で整っておらず、且つ、画像形成部７９から取得した装置情報が白色トナーを示す特色トナー情報および白色媒体のみを示す媒体種、または、該装置情報が透明トナーを示す特色トナー情報および透明媒体のみを示す媒体種を含む場合、特色トナーによる画像形成を行わず、有色トナーのみを用いて記録媒体に有色画像を形成するように、画像形成部７９を制御することができる。このため、画像形成部７９による画像形成を中断することなく継続することができる。
【０２２１】
一方、上記ステップＳ１４０で否定判断すると（ステップＳ１４０：Ｎｏ）、ステップＳ１６４へ進む。
【０２２２】
ステップＳ１６４では、出力制御部５８が、第１取得部５９で取得した印刷データに含まれる印刷方法情報が第３印刷方法であるか否かを判断する（ステップＳ１６４）。ステップＳ１６４で肯定判断すると（ステップＳ１６４：Ｙｅｓ）、ステップＳ１６６へ進む。なお、ステップＳ１６４で否定判断すると（ステップＳ１６４：Ｎｏ）、本ルーチンを終了する。
【０２２３】
ステップＳ１６６では、出力制御部５８が、ステップＳ１００の判定部６３の判定結果が第３規定条件であるか否かを判断する（ステップＳ１６６）。
【０２２４】
ステップＳ１６６で肯定判断すると（ステップＳ１６６：Ｙｅｓ）、ステップＳ１６８へ進む。ステップＳ１６８では、第１生成部５８Ａが、出力制御部５８で受け付けた２ビットの有色版データを、裏面用の第４有色版データとして用いることで、裏面用の第４有色版データを生成する（ステップＳ１６８）。
【０２２５】
次に、第１生成部５８Ａが、全画素を無効とした（濃度０％）表面用の第５有色版データを生成する（ステップＳ１７０）。
【０２２６】
そして、第１生成部５８Ａは、裏面用の第４有色版データと、表面用の第５有色版データと、を含む有色データを生成する（ステップＳ１７２）。
【０２２７】
次に、第２生成部５８Ｂが、特色データを生成する（ステップＳ１７４）。ステップＳ１７４では、第２生成部５８Ｂは、表面用として、濃度１００％のベタマスクの特色データを生成し、裏面用として、全画素無効（濃度０％）とした特色データを生成する。
【０２２８】
次に、第３生成部５８Ｃが、設定情報を生成する（ステップＳ１７６）。ステップＳ１７６では、第３生成部５８Ｃは、記録媒体の両面を示す印刷対象面（両面印刷）と、透明媒体を示す媒体種と、を含む設定情報を生成する（ステップＳ１７６）。
【０２２９】
次に、出力部５８Ｄが、ステップＳ１７２で生成した有色データと、ステップＳ１７４で生成した特色データと、ステップＳ１７６で生成した設定情報と、を含む出力データを、ＭＩＣ６０を介してプリンタ機７０へ出力する（ステップＳ１７８）。そして本ルーチンを終了する。
【０２３０】
ステップＳ１７８で出力された出力データを受け付けたプリンタ機７０のプリンタ制御部７１は、該出力データに含まれる設定情報に示される透明媒体の、該設定情報に示される印刷対象面である両面の内の一方の面に、表面用のベタマスクの特色データの白色画像を白色トナーで形成し、他方面に、裏面用の第４有色版データの有色画像を有色トナーで形成するように、画像形成部７９を制御する。このため、出力制御部５８は、透明媒体の一方の面に有色画像を形成し、他方の面に白色画像を形成するように、画像形成部７９を制御することができる。
【０２３１】
すなわち、図３（Ｃ）に示すように、白色画像２２、透明媒体２０Ｔ、および有色画像２４をこの順に積層することで、第３印刷方法の表面効果を実現することができる。
【０２３２】
一方、上記ステップＳ１６６で否定判断すると（ステップＳ１６６：Ｎｏ）、ステップＳ１８０へ進む。
【０２３３】
ステップＳ１８０では、出力制御部５８が、ステップＳ１００の判定結果が、第４制御条件であるか否かを判断する（ステップＳ１８０）。
【０２３４】
ステップＳ１８０で肯定判断すると（ステップＳ１８０：Ｙｅｓ）、ステップＳ１８２へ進む。ステップＳ１８２では、第１生成部５８Ａが、出力制御部５８で受け付けた２ビットの有色版データを、有色データとして用いることで、有色データを生成する（ステップＳ１８２）。
【０２３５】
次に、第２生成部５８Ｂが、予め定めた網点パターンを示すハーフトーンの特色データを生成する（ステップＳ１８４）。
【０２３６】
次に、第３生成部５８Ｃが、記録媒体の片面を示す印刷対象面と、白色媒体を示す媒体種と、を含む設定情報を生成する（ステップＳ１８６）。
【０２３７】
次に、出力部５８Ｄが、ステップＳ１８２で生成した有色データと、ステップＳ１８４で生成した特色データと、ステップＳ１８６で生成した設定情報と、を含む出力データを、ＭＩＣ６０を介してプリンタ機７０へ出力する（ステップＳ１８８）。そして本ルーチンを終了する。
【０２３８】
ステップＳ１８８で出力された出力データを受け付けたプリンタ機７０のプリンタ制御部７１は、該出力データに含まれる設定情報に示される白色媒体の、該設定情報に示される印刷対象面である片面に、有色データの有色画像を有色トナーで形成すると共に、特色データの白色画像を透明トナーで形成するように、画像形成部７９を制御する。
【０２３９】
このため、ＤＦＥ５０は、第３印刷方法の正規の条件がプリンタ機７０（画像形成部７９）側で整っていない場合に、第３規定条件の代替の条件である第４制御条件を用いて、第３印刷方法によって表される表面効果を実現するように、画像形成部７９を制御することができる。すなわち、第３印刷方法によって実現される表面効果を、透明トナーおよび白色媒体を用いて、画像形成部７９に実行させることができる。
【０２４０】
一方、ステップＳ１８０で否定判断すると（ステップＳ１８０：Ｎｏ）、上記ステップＳ１３０へ進む。そして、出力制御部５８は、ステップＳ１３０〜ステップＳ１３８の処理を実行する。
【０２４１】
このため、ＤＦＥ５０は、第３印刷方法の正規の条件がプリンタ機７０（画像形成部７９）側で整っておらず、且つ、画像形成部７９から取得した装置情報が白色トナーを示す特色トナー情報および白色媒体のみを示す媒体種、または、該装置情報が透明トナーを示す特色トナー情報および透明媒体のみを示す媒体種を含む場合、特色トナーによる画像形成を行わず、有色トナーのみを用いて記録媒体に有色画像を形成するように、画像形成部７９を制御することができる。このため、画像形成部７９による画像形成を中断することなく継続することができる。
【０２４２】
以上説明したように、本実施の形態のＤＦＥ５０は、第１取得部５９と、第２取得部６２と、判定部６３と、出力制御部５８と、を含む。
【０２４３】
第１取得部５９は、印刷データを取得する。印刷データは、不透明な第１記録媒体（白色媒体）に有色トナーによる有色画像および透明トナーによる透明画像を形成する第１印刷方法を含む印刷方法情報と、有色画像を形成するための有色版データと、表面効果を与える領域および表面効果の種類を規定した光沢制御版データと、を含む。第２取得部６２は、画像形成を実行する画像形成部７９から、画像形成部７９に搭載されている第１記録媒体または透明な第２記録媒体を示す媒体種と、画像形成部７９に搭載されている透明トナーまたは白色トナーを示す特色トナー情報と、を含む装置情報を取得する。出力制御部５８は、印刷データに含まれる印刷方法情報が第１印刷方法を示し、且つ、装置情報が第１記録媒体を示す媒体種および透明トナーを示す特色トナー情報の少なくとも一方を含まない場合に、装置情報に含まれる媒体種によって示される第１記録媒体または第２記録媒体、および装置情報に含まれる特色トナー情報によって示される透明トナーまたは白色トナーを用いて、印刷方法情報および光沢制御版データに応じた表面効果を実現するように、画像形成部７９を制御する。
【０２４４】
このため、本実施の形態のＤＦＥ５０は、画像形成を実行する画像形成部７９に、指定された表面効果を実現するための条件の少なくとも一部が備わっていない場合であっても、表面効果を実現し、且つ、印刷を継続させることができる、という効果を奏する。
【０２４５】
＜変形例１＞
なお、上記実施の形態１では、ＤＦＥ５０と、プリンタ機７０と、を別体として構成した場合を説明した。しかし、ＤＦＥ５０と、プリンタ機７０と、を一体的に設けた構成としてもよい。
【０２４６】
図１５は、本変形例の画像処理システムの一例を示す模式図である。画像処理システムは、ホスト装置１０と、複合装置６６と、を備えた構成である。ホスト装置１０と、複合装置６６と、は信号やデータ授受可能に接続されている。複合装置６６は、ＤＦＥ５０と、ＭＩＣ６０と、プリンタ機７０と、を含む。
【０２４７】
ホスト装置１０、ＤＦＥ５０、ＭＩＣ６０、及びプリンタ機７０の構成は、実施の形態１と同様である。
【０２４８】
このように、ＤＦＥ５０と、プリンタ機７０と、を一体的に構成してもよい。
【０２４９】
（実施の形態２）
なお、実施の形態１における、一の装置で行っていた複数の処理のいずれかを、一の装置とネットワークを介して接続する１以上の他の装置で行う構成にしてもよい。
【０２５０】
その一例として、本実施の形態の画像処理システムでは、ＤＦＥの機能の一部を、ネットワーク上のサーバ装置上に実装している。
【０２５１】
図１６は、本実施の形態に係る画像処理システムの構成を例示する図である。図１６に示すように、本実施の形態の画像処理システムは、ホスト装置１０と、ＤＦＥ３０５０と、ＭＩＣ６０と、プリンタ機７０と、クラウド上のサーバ装置３０６０と、を備えている。ホスト装置１０、ＭＩＣ６０、及びプリンタ機７０は、実施の形態１と同様である。
【０２５２】
本実施の形態では、ＤＦＥ３０５０がインターネット等のネットワークを介して、サーバ装置３０６０と接続された構成となっている。また、本実施の形態では、実施の形態１のＤＦＥ５０の出力制御部５８を、サーバ装置３０６０に設けた構成となっている。
【０２５３】
すなわち、具体的には、本実施の形態では、ＤＦＥ３０５０がインターネット等のネットワーク（クラウド）を介して、単一のサーバ装置３０６０に接続し、サーバ装置３０６０は出力制御部５８を設け、サーバ装置３０６０で、出力データの生成を行うように構成している。
【０２５４】
まず、サーバ装置３０６０について説明する。図１７は、本実施の形態にかかるサーバ装置３０６０の機能的構成を示すブロック図である。サーバ装置３０６０は、記憶部３０７０と、出力制御部３０６２と、通信部３０６５と、を主に備えている。
【０２５５】
記憶部３０７０は、ＨＤＤやメモリ等の記憶媒体である。
【０２５６】
通信部３０６５は、ＤＦＥ３０５０との間で各種データや要求の送受信を行う。より具体的には、通信部３０６５は、ＤＦＥ３０５０から、８ビットの光沢制御版データ、２ビットの有色版データ、２ビットの光沢制御版データ、印刷方法情報、判定部６３による判定結果、および、第２取得部６２で取得した装置情報を受信する。出力制御部３０６２は、実施の形態１の出力制御部５８と同様にして、出力データを生成する。そして、通信部３０６５は、出力制御部３０６２で生成された出力データを、ＤＦＥ３０５０へ出力する。ＤＦＥ３０５０では、受信した出力データを、ＭＩＣ６０を介してプリンタ機７０へ出力する。
【０２５７】
次に、以上のように構成された本実施の形態に係る画像処理システムによる画像処理について説明する。図１８は、本実施の形態にかかる画像処理の全体の流れを示すシーケンス図である。
【０２５８】
まず、ＤＦＥ３０５０の第１取得部５９が印刷データを取得する（ステップＳ３９０１）。次に、ＤＦＥ３０５０の第２取得部６２が、画像形成部７９から装置情報を取得する（ステップＳ３９０２）。
【０２５９】
次に、ＤＦＥ３０５０が、８ビットの光沢制御版データ、２ビットの有色版データ、２ビットの光沢制御版データ、印刷方法情報、判定部６３による判定結果、および、第２取得部６２で取得した装置情報をサーバ装置３０６０へ送信する（ステップＳ３９０３）。
【０２６０】
サーバ装置３０６０の出力制御部３０６２は、実施の形態１の出力制御部５８と同様にして、出力データを生成する（ステップＳ３９０４）。そして、サーバ装置３０６０は、出力制御部３０６２で生成された出力データを、ＤＦＥ３０５０へ出力する（ステップＳ３９０５）。ＤＦＥ３０５０では、受信した出力データを、ＭＩＣ６０を介してプリンタ機７０へ出力する（ステップＳ３９０６）。
【０２６１】
これ以降のＭＩＣ６０、およびプリンタ機７０における処理については、実施の形態１と同様に行われる。
【０２６２】
このように本実施の形態では、出力データの生成処理を、クラウド上のサーバ装置３０６０で行っているので、実施の形態１と同様の効果を奏する他、複数のＤＦＥ３０５０が存在する場合でも、出力データの生成を一括して行うことができ、管理者の便宜となる。
【０２６３】
＜変形例２＞
なお、上記変形例１では、クラウド上の単一のサーバ装置３０６０に、出力制御部３０６２を設け、サーバ装置３０６０で、出力データの生成処理を行うように構成したが、これに限定されるものではない。
【０２６４】
例えば、クラウド上に２以上のサーバ装置を設け、上記処理を、２以上のサーバ装置で分散させて実行するように構成してもよい。図１９は、クラウド上に２つのサーバ（第１サーバ装置３８６０と第２サーバ装置３８６１）を設けたネットワーク構成図である。図１９の例では、第１サーバ装置３８６０と第２サーバ装置３８６１とで、出力データの生成処理を分散して行うように構成する。なお、各処理の各サーバ装置への分散の形態は限定されず、任意に行うことができる。
【０２６５】
すなわち、一の装置で行っていた複数の処理のいずれかを、一の装置とネットワークを介して接続する１以上の他の装置で行う構成にすることができる。
【０２６６】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０２６７】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０２６８】
また、本変形例では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０２６９】
上述した実施の形態および変形例のホスト装置１０、ＤＦＥ５０、３０５０、サーバ装置３０６０、第１サーバ装置３８６０、第２サーバ装置３８６１のハードウェア構成について説明する。
【０２７０】
図２０は、ホスト装置１０、ＤＦＥ５０、３０５０、サーバ装置３０６０、第１サーバ装置３８６０、第２サーバ装置３８６１のハードウェア構成図である。ホスト装置１０、ＤＦＥ５０、３０５０、サーバ装置３０６０、第１サーバ装置３８６０、第２サーバ装置３８６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０２７１】
上記実施の形態および変形例のホスト装置１０、ＤＦＥ５０、３０５０、サーバ装置３０６０、第１サーバ装置３８６０、第２サーバ装置３８６１で実行される画像処理（画像処理アプリケーションを含む。以下同。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２７２】
また、上記実施の形態および変形例のホスト装置１０、ＤＦＥ５０、３０５０、サーバ装置３０６０、第１サーバ装置３８６０、第２サーバ装置３８６１で実行される画像処理プログラムを、インターネット等のネットワークに接続されたコンピュータ上に格納し、ネットワーク経由でダウンロードさせることにより提供するように構成しても良い。また、上記実施の形態および変形例のホスト装置１０、ＤＦＥ５０、３０５０、サーバ装置３０６０、第１サーバ装置３８６０、第２サーバ装置３８６１で実行される画像処理プログラムをインターネット等のネットワーク経由で提供または配布するように構成してもよい。
【０２７３】
また、上記実施の形態および変形例のホスト装置１０、ＤＦＥ５０、３０５０、サーバ装置３０６０、第１サーバ装置３８６０、第２サーバ装置３８６１で実行される画像処理プログラムを、ＲＯＭ等に予め組み込んで提供するように構成してもよい。
【０２７４】
なお、本発明は上記実施の形態および変形例そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【０２７５】
なお、上述した実施の形態の画像処理システムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０２７６】
５０，３０５０  ＤＦＥ
５８  出力制御部
５８Ａ  第１生成部
５８Ｂ  第２生成部
５８Ｃ  第３生成部
５８Ｄ  出力部
５９  第１取得部
６２  第２取得部
６３  判定部
【先行技術文献】
【特許文献】
【０２７７】
【特許文献１】特開２０１１−２５４４７９号公報
【図１】
2016057816.tif 000003
【図２】
2016057816.tif 000004
【図３】
2016057816.tif 000005
【図４】
2016057816.tif 000006
【図５】
2016057816.tif 000007
【図６】
2016057816.tif 000008
【図７】
2016057816.tif 000009
【図８】
2016057816.tif 000010
【図９】
2016057816.tif 000011
【図１０】
2016057816.tif 000012
【図１１】
2016057816.tif 000013
【図１２】
2016057816.tif 000014
【図１３】
2016057816.tif 000015
【図１４】
2016057816.tif 000016
【図１５】
2016057816.tif 000017
【図１６】
2016057816.tif 000018
【図１７】
2016057816.tif 000019
【図１８】
2016057816.tif 000020
【図１９】
2016057816.tif 000021
【図２０】
2016057816.tif 000022